(57)【特許請求の範囲】
【請求項１】
取付枠に固定された支軸から放射方向に延出された駆動用レバーと、一端が装飾体に軸着され他端が取付枠にスライド可能に支承され駆動用レバーにより回動される移動用レバーと、を備える移動機構により、装飾体を移動させる遊技機の可動装飾装置において、
前記移動用レバーの他端を、取付枠にスライド可能に設けられた摺動部材に軸着するとともに、移動用レバーを駆動用レバーの２倍の長さとして、駆動用レバーの先端を移動用レバーの中央に軸着したスコットラッセル機構とし、
さらに、移動用レバーに平行に移動用補助レバーを配置して、その一端を装飾体に軸着し、他端を摺動部材に軸着して平行リンク機構を形成し、
このスコットラッセル機構と平行リンク機構により装飾体を傾かせることなく移動させる構成とし、
さらに、モータにより回動される動力伝達レバーを駆動用レバーの支軸から延出させたうえ、この動力伝達レバーに装飾体を上昇させる方向に付勢するバネを取り付けたことを特徴とする遊技機の可動装飾装置。
【請求項２】
取付枠にバーを設け、このバーに摺動部材を装着して、摺動部材の摺動抵抗を低減した請求項１に記載の遊技機の可動装飾装置。
【発明の詳細な説明】
【技術分野】
【０００１】
本発明は、遊技機の遊技盤面を装飾するための可動装飾装置に関するものである。
【背景技術】
【０００２】
遊技機の遊技盤面に配置された図柄表示装置の近傍で装飾的な演出を行うものとして、
出願人の出願に係る特許文献１に開示されたものがある。このものは、図柄表示装置の上部に設けられた装飾体が、図柄表示装置の表示状態に合わせて表示画面の一部を覆うように上下動することにより、演出効果を高めるようにしたものである。しかしながら、このものにおいては、装飾体を直線的に上下動させるために、一対の縦型レールを上下方向に設置して装飾体の中程に設けた摺動部を挟むことにより装飾体の動きをガイドする必要があった。そのため、装飾体の外側に設けた摺動部が美観を損ね、装飾的演出効果を減退させてしまうという問題があった。また、横に幅の広い装飾体を水平状態を維持して移動させるには、装飾体の中央を境として左右対称に移動機構を設ける必要があって、このため移動機構が複雑となって製作コストが高騰するという問題があった。
【特許文献１】特開２００７−３３０３５５号公報    （図１１）
【発明の開示】
【発明が解決しようとする課題】
【０００３】
本発明は、上記した従来の問題点に鑑み、移動機構を左右対称に設けることなく装飾体の水平状態を維持して移動させることができる簡単な構造の遊技機の可動装飾装置を提供することを課題とする。
【課題を解決するための手段】
【０００４】
上記の課題を解決するためになされた本発明に係る遊技機の可動装飾装置は、取付枠に固定された支軸から放射方向に延出された駆動用レバーと、一端が装飾体に軸着され他端が取付枠にスライド可能に支承され駆動用レバーにより回動される移動用レバーと、を備える移動機構により、装飾体を移動させる遊技機の可動装飾装置において、
前記移動用レバーの他端を、取付枠にスライド可能に設けられた摺動部材に軸着するとともに、移動用レバーを駆動用レバーの２倍の長さとして、駆動用レバーの先端を移動用レバーの中央に軸着したスコットラッセル機構とし、
さらに、移動用レバーに平行に移動用補助レバーを配置して、その一端を装飾体に軸着し、他端を摺動部材に軸着して平行リンク機構を形成し、
このスコットラッセル機構と平行リンク機構により装飾体を傾かせることなく移動させる構成とし、
さらに、モータにより回動される動力伝達レバーを駆動用レバーの支軸から延出させたうえ、この動力伝達レバーに装飾体を上昇させる方向に付勢するバネを取り付けたことを特徴とするものである。
【０００５】
【０００６】
また、取付枠にバーを設け、このバーに摺動部材を装着して、摺動部材の摺動抵抗を低減することができる。
【発明の効果】
【０００７】
請求項１に係る発明は、移動機構を、スコットラッセル機構に平行リンクを適用したものとしたので、装飾体を傾けたりすることなく上下方向に厳正直線運動させることができる。よって、移動機構を左右対称のものとする必要がないので、移動機構を簡単な構造のものとすることができるという利点がある。また、駆動用レバーをモータによって駆動させることによって、装飾体を移動させることができる。しかも、バネにより装飾体を上方に付勢させるので、装飾体上昇時のモータ負荷を小さいものとすることができる。
【０００８】
【０００９】
【００１０】
請求項２に係る発明は、摺動部材の摺動抵抗を低減して、装飾体を円滑に移動させることができる。
【発明を実施するための最良の形態】
【００１１】
以下に、本発明の実施形態に付いて説明する。
本発明の可動装飾装置における移動機構は、スコットラッセル機構を利用したものであるので、始めに図１を用いてスコットラッセル機構について説明する。図示のスコットラッセル機構は、４つの支点Ａ、Ｂ、Ｃ、Ｐとからなる。ＡＢ＝ＢＣ＝ＢＰである。ここで、支点Ａは固定され、支点Ｃは水平方向に滑り運動する。支点ＰはＡＰの軸線上を直線運動するが、ＡＢ＝ＢＣ＝ＢＰであり、Ａ、Ｃ、Ｐは支点Ｂを中心として直径ＣＰの円周上にあるので、角ＰＡＣは常に直角である。よって、支点Ｐは支点Ｃが水平移動することにより常に垂直方向に移動することとなる。以上がスコットラッセル機構の基本構造である。
【００１２】
図２〜４に本発明に係る可動装飾装置を示す。図において、１は装飾体、２は移動機構、３は取付枠である。移動機構２は駆動用部材４を備えており、この駆動用部材４は、支点Ａを中心に回動する駆動用レバー４１と、支点Ａから駆動用レバー４１とは異なる方向に延出する動力伝達用レバー４２とを有する。動力伝達用レバー４２の先端には、この動力伝達用レバー４２の先端を右方向に付勢するバネ４４が取り付けられている。バネ４４の付勢により装飾体１上昇時のモータ負荷を低減することができる。
【００１３】
動力伝達用レバー４２には、係合孔部４５が設けられている。モータＭの回転軸４６にはクランク部材４７が装着され、このクランク部材４７に設けたピン４８が係合孔部４５に挿入されることにより、モータＭの回転軸４６の回転を動力伝達用レバー４２に伝達することができる。
【００１４】
駆動用レバー４１は、移動用レバー５の中央に設けた支点Ｂに接続されている。移動用レバー５の一端には支点Ｐを介して装飾体１が取り付けられている。移動用レバー５の他端には支点Ｃが設けられている。支点Ｃは、取付枠３にバー３１を介して水平スライド可能に設けられた摺動部材３２に取付られている。バー３１と摺動部材３２との摺動部分は延設されているため、両者はこじることなく水平にスライドすることができる。
以上の支点Ａ、Ｂ、Ｃ、Ｐは、図１における支点Ａ、Ｂ、Ｃ、Ｐに相当する。即ち、長さはＡＢ＝ＢＣ＝ＢＰである。
【００１５】
移動用レバー５と同じ長さの移動用補助レバー６が、移動用レバー５と平行に配設さている。即ち、移動用補助レバー６の一端は支点Ｐの垂直下方の支点Ｐ’に軸着され、他端は支点Ｃの垂直下方の支点Ｃ’に軸着されている。装飾体１の支点Ｐ、Ｐ’及び摺動部材の支点Ｃ、Ｃ’により平行リンク機構が形成されている。
【００１６】
以上に示した移動機構における移動状態について、次に説明する。
図２においてはバネ４４が最も伸長されていて、装飾体１は最も降下された状態である。この状態からモータＭの回転軸４６が右回りに回転されると、クランク部材４７もともに回転される。これによって係合孔部４５に挿入されているピン４８が動力伝達用レバー４２を、図５に示すように、右方向に回動させる。伸長されていたバネ４４が短縮されつつ支点（支軸）Ａを中心に駆動用レバー４１が右回りに回動されて支点Ｂは上昇される。支点Ｃは摺動部材３２がバー上を左方にスライドする結果、支点Ｐは上方に持ち上げられるので、装飾体１は垂直上方に持ち上げられることになる。
【００１７】
そして、移動用レバー５と平行に、移動用補助レバー６が配設されて平行リンクが形成されている。即ち、支点Ｃ’は常に支点Ｃの垂直下方にあり、支点Ｐ’は常に支点Ｐの垂直下方にあるので、この平行リンクにより装飾体は、傾いたりすることなく水平状態を維持して、図６に示すように、完全に上昇することができる。遊技の通常の状態においては装飾体１は図６に示す待機位置にある。そして、大当たり等の特別遊技状態となったときに、装飾体１は上下動されて遊技の興趣を盛り上げることができる。
【００１８】
【図面の簡単な説明】
【００１９】
【図１】スコットラッセル機構の説明図である。
【図２】装飾体が降下状態にある可動装飾装置の正面図である。
【図３】図２の可動装飾装置の平面図である。
【図４】図２の可動装飾装置の側面図である。
【図５】装飾体が上昇中である可動装飾装置の正面図である。
【図６】装飾体が上昇した可動装飾装置の正面図である。
【符号の説明】
【００２０】
１  装飾体、２  移動機構、３  取付枠、４  駆動用部材、５  移動用レバー、６  移動用補助レバー、３２  摺動部材、４１  駆動用レバー、Ａ  支軸（支点）、Ｂ  支点、Ｃ  支点、Ｐ  支点、
【図１】
0005228179.tif 000002
【図２】
0005228179.tif 000003
【図３】
0005228179.tif 000004
【図４】
0005228179.tif 000005
【図５】
0005228179.tif 000006
【図６】
0005228179.tif 000007